(57)【要約】【課題】レンズ部材に新たな機能を追加し、携帯電話をより使いやすくすること。【解決手段】液晶表示部及びキー入力部を有する携帯電話本体と、該携帯電話本体に一体的に構成されるレンズ部材と、を有する携帯電話において、前記携帯電話本体には、両側面に前記キー入力部から前記液晶表示部に延びているスライド溝が形成され、前記レンズ部材には、前記液晶表示部の表示を拡大表示するレンズ部と、前記スライド溝に係止する枢支突起とが形成され、前記レンズ部材が枢支突起を中心に回動可能に構成されることを特徴とする。【選択図】  図１
2004158975.tif 000002
【特許請求の範囲】
【請求項１】
液晶表示部及びキー入力部を有する携帯電話本体と、該携帯電話本体に一体的に構成されるレンズ部材と、を有する携帯電話において、
前記携帯電話本体には、両側面に前記キー入力部から前記液晶表示部に延びるスライド溝が形成され、
前記レンズ部材には、前記液晶表示部の表示を拡大表示するレンズ部と、前記スライド溝に枢支する枢支突起とが形成され、
前記レンズ部材が前記枢支突起を中心に回動可能に構成されることを特徴とする携帯電話。
【請求項２】
請求項１に記載の携帯電話であって、
前記レンズ部材は、前記携帯電話本体の背面に移動可能であって、前記携帯電話本体を起立させるスタンドとして機能することを特徴とする携帯電話。
【発明の詳細な説明】
【０００１】
【発明の属する技術分野】
本発明は、本体に一体的に構成されるレンズ部材を有する携帯電話に関し、特にレンズ部材を携帯電話本体に対して摺動させ、かつ起立させることができる携帯電話に関する。
【０００２】
【従来の技術】
携帯電話に機能を付加するために様々なレンズ部材が開発されている。特に最近では、液晶画面の小型化・高解像度化に伴い、表示文字が小さくなっているので、この文字を拡大するためのレンズを有するレンズ部材が開発されている（例えば特許文献１、２参照。）。また、このレンズを有するレンズ部材を携帯電話と一体的に配設し、表示部とキー入力部との間を摺動可能に構成して、液晶表示部の文字拡大機能と、キー入力部の誤操作防止機能とを備えたものもある（例えば特許文献３参照。）。
【０００３】
【特許文献１】
特開２０００−０７８２５９号公報
【特許文献２】
特開２００１−１９７１７７号公報
【特許文献３】
特開２００１−１７４７１７号公報
【発明が解決しようとする課題】
しかしながら、従来の技術では文字拡大機能の拡大率を変えることができず、また、レンズ部材に新たな機能を付加する要請もあった。
【０００４】
そこで本発明の目的は、レンズ部材に新たな機能を追加し、携帯電話をより使いやすくすることである。
【０００５】
【課題を解決するための手段】
上記目的を達成するための本発明の代表的な構成は、液晶表示部及びキー入力部を有する携帯電話本体と、該携帯電話本体に一体的に構成されるレンズ部材と、を有する携帯電話において、前記携帯電話本体には、両側面に前記キー入力部から前記液晶表示部に延びているスライド溝が形成され、前記レンズ部材には、前記液晶表示部の表示を拡大表示するレンズ部と、前記スライド溝に係止する枢支突起とが形成され、前記レンズ部材が枢支突起を中心に回動可能に構成されることを特徴とする。
【０００６】
【発明の実施の形態】
本発明の携帯電話を図を用いて詳細に説明する。図１は本発明の携帯電話の斜視図であり、図２はレンズ部材の動作説明図であり、図３はレンズ部材を携帯電話のスタンドとして使用した場合の説明図である。本発明の携帯電話は、携帯電話本体Ａと、携帯電話本体Ａに一体的に取り付けられるレンズ部材４とから構成される。
【０００７】
まず、携帯電話の構成を説明する。図１に示すように、携帯電話本体Ａは、表面に文字や電話番号を表示する液晶表示部１と電話番号等を入力するキー入力部２とを有する。また、両側面に、キー入力部２から液晶表示部１にまで至る長さのスライド溝３を有する。また、スライド溝３の下端にはストッパー３ａが配設される。
【０００８】
レンズ部材４は、透明なプラスチック等の樹脂により構成され、表面に凸レンズ形状のレンズ部４ａを有し、両側面に携帯電話本体Ａのスライド溝３と係合してレンズ部材４を移動させる係止突起４ｂ及び枢支突起４ｃとを有する。尚、係止突起４ｂの突起形状は枢支突起４ｃよりも小さい。
【０００９】
次に、レンズ部材４の動作を説明する。図２に示すように、レンズ部材４は、係止突起４ｂ及び枢支突起４ｃを又は枢支突起４ｃのみを携帯電話本体Ａに配設されたスライド溝３に沿わせて、携帯電話本体Ａの前面及び背面を移動する。
【００１０】
待受け時等、携帯電話の非使用時には、レンズ部材４の係止突起４ｂと枢支突起４ｃをスライド溝３に沿わせて下方に摺動移動させる。すると、レンズ部材４はキー入力部２の前面を完全に覆うため、非使用時に使用者が誤ってキー入力部２を操作してしまうことを防止することができる。このとき、スライド溝３の最下端にあるストッパー３ａで枢支突起４ｃを留めると、レンズ部材４は携帯電話本体Ａのキー入力部２上に固定することができ、キーの誤操作を確実に防ぐことができる。
【００１１】
電話をかける時等、携帯電話の使用時には、レンズ部材４を上方へ移動させる。すると、キー入力部２が露出し、使用者のキー入力操作が可能となる。また同時に、レンズ部４ａが液晶表示部１の前面に来るため、液晶表示部１に表示された文字や数字等を拡大表示することができる。
【００１２】
また、係止突起４ｂは枢支突起４ｃよりも小さな突起形状であるため、使用者がレンズ部材４を手前に引くと、スライド溝３から容易に外れる。するとレンズ部材４は、枢支突起４ｃを中心に手前側に回動し、レンズ部４ａと液晶表示部１との距離を変えることができる。このように構成することで、使用者はレンズ部４ａと液晶表示部１との距離を調整し、所望の拡大率にて液晶表示部１上の表示を見ることができる。更に、枢支突起４ｃはスライド溝３内を自由に摺動するため、液晶表示部１上のあらゆる位置の表示を所望の拡大率にて表示することができる。
【００１３】
図１に示すように、レンズ部材４は、枢支突起４ｃを中心として携帯電話本体Ａの背面に回り込むことができる程度に、表面の長さＬ１が、側面の長さＬ２よりも短く構成されている。このため使用者は、図３に示すように、レンズ部材４を携帯電話本体Ａの背面に回りこませて、スライド溝３の所定位置で枢支突起４ｃの位置を固定し、レンズ部４ａを下にして机等に置くことで、携帯電話本体Ａを使用者が見やすいように所定の角度の姿勢に保持することができる。尚、枢支突起４ｃがスライド溝３内を自由に摺動するため、携帯電話本体Ａを使用者の好みの角度にて保持することができる。
【００１４】
【発明の効果】
以上説明したように本発明においては、レンズ部材に対して、非使用時にキー入力部を保護する機能、液晶表示部の表示を拡大する機能、この拡大率を自在に調整する機能、携帯電話本体を所定の角度の姿勢に保持する機能など、様々な機能を持たせることで、携帯電話をより使いやすく構成することができる。
【図面の簡単な説明】
【図１】本発明の携帯電話の斜視図である。
【図２】レンズ部材の動作説明図である。
【図３】レンズ部材を携帯電話のスタンドとして使用した場合の説明図である。
【符号の説明】
Ａ  …携帯電話本体、１  …液晶表示部、２  …キー入力部、
３  …スライド溝、３ａ  …ストッパー、４  …レンズ部材、
４ａ  …レンズ部、４ｂ  …係止突起、４ｃ  …枢支突起
【図１】
2004158975.tif 000003
【図２】
2004158975.tif 000004
【図３】
2004158975.tif 000005